(57)【要約】【課題】  メガネフレームのツル継手構造であって、ツルが何時まで経ってもガタ付くことなく安定した折畳み操作が出来るツル継手構造の提供。【解決手段】  ツル端面から一定厚さで一定幅のツル継手部５を延ばし、このツル継手部５には穴１０を設けると共にコイルバネ７を収容し、そして該ツル継手部５に外ケース８を嵌めると共に外ケース８の継手側端面１６から継手部先端１７を突出し、この継手部先端１７をヨロイ２の継手部６と組み合わせ、ツル継手部先端１７及びフロント部側の継手部６に設けているピン穴に軸ピン４を挿入して連結する。【選択図】    図１
2005345886.tif 000002
【特許請求の範囲】
【請求項１】
メガネフレームのツル継手構造において、ツル端面から一定厚さで一定幅のツル継手部を延ばし、このツル継手部には穴を設けると共にコイルバネを収容し、そして該ツル継手部に外ケースを嵌めると共に外ケースの継手側端面から継手部先端を突出し、この継手部先端をフロント部側の継手部と組み合わせ、ツル継手部先端及びフロント部側の継手部に設けているピン穴に軸ピンを挿入して連結したことを特徴とするメガネフレームツル継手構造。
【請求項２】
上記軸ピンの中間部を細くして段差軸ピンとし、この段差の長さを継手部先端の厚さより大きくしてピン穴に軸ピンの段差部を係止した請求項１記載のメガネフレームのツル継手構造。
【請求項３】
フロント部の両側にヨロイを設け、該ヨロイ先端の継手部にツルを連結した請求項１、又は請求項２記載のメガネフレームのツル継手構造。
【発明の詳細な説明】
【技術分野】
【０００１】
本発明はメガネフレームのツルが何時まで経ってもガタ付くことなく、安定した折畳み操作が出来るツル継手構造に関するものである。
【背景技術】
【０００２】
メガネにはフロント部の両側にツルを備えていて折畳むことが出来る。すなわち、メガネを顔に掛ける場合に両ツルを開き、顔から外した場合には両ツルは折畳んで閉じられる。ところで、メガネのツルは一般に蝶番を介して折畳み出来るように取付けられているが、該蝶番は非常に小さくて長いツルを支えるには大きな負担がかかる。従って、ツルの折畳み操作に伴って蝶番の摺動面は摩耗し、その結果ツルはガタ付きを生じて掛けているメガネが位置ズレするなど、安定性が損われる。勿論、蝶番に限らず他の継手構造とした場合にも同じように摺動面が摩耗してガタ付きを発生する。
【０００３】
特に近年のメガネフレームは軽くてバネ性に優れた材質が好まれる為に、この要求を満たす材質としてチタン材が多用されている。そして、蝶番もチタン製とされる場合が多く、このチタン製蝶番ではその摺動面の摩耗が特に著しい。そしてチタン製蝶番では切削加工された摺動面が鋳物のように微細な凹凸面となっていて、すなわち滑らかな面でないことから、ツルの折畳み操作に際してキシミを発生し、滑らかな折畳み操作が出来ない。すなわち、滑らかな摺動が得られない為である。
【０００４】
そこで、従来ではこの小さな蝶番の摺動面にワッシャを介在することで滑らかな摺動をもたらし、磨耗を防止する対策が講じられている。図５は従来から用いられているメガネフレームの蝶番を示す外観図である。同図に示すように、該蝶番は蝶片(イ)、(ロ)が軸ネジ(ハ)により連結されて屈曲することが出来る構造と成っていて、一方の蝶片(ロ)はその接合面(ニ)がヨロイにロウ付けされ、他方の蝶片(イ)の接合面(ニ)がツルにロウ付けされる。従って、ツルは該蝶番を介して折畳むことが出来る。
【０００５】
図６はワッシャ(ホ)、(ホ)を両蝶片(イ)、(ロ)の摺動面に介在する場合、及び介在している断面を示している。そして該ワッシャ(ホ)は図７に示しているように、円盤部(ヘ)と筒部(ト)から構成され、中心には軸ネジが貫通する穴(チ)が設けられている。同図に示しているようにワッシャ(ホ)の筒部(ト)は蝶片(ロ)のコマ(リ)に設けている軸穴(ヌ)に嵌って取付けられ、摺動面には円盤部(ヘ)が介在することで該摺動面の磨耗が防止される。
【０００６】
従来の蝶番は両コマ(ル)、(ル)を有す蝶片(イ)の凹部にコマ(リ)を有す蝶片(ロ)の凸部が嵌って噛み合う為には、ワッシャ(ホ)は円盤部だけで構成される平ワッシャでは両蝶片(イ)、(ロ)を組み付けることが出来ない。すなわち、コマ(リ)の軸穴(ヌ)に筒部(ト)を嵌めて両ワッシャ(ホ)、(ホ)を取付けた状態で組付ける必要がある。
【０００７】
しかし、この小さなツバ付きワッシャ(ホ)、(ホ)を蝶片(ロ)の軸穴(ヌ)に嵌める作業は面倒であると共に、ワッシャ(ホ)、(ホ)を取付けたコマ(リ)を一方の蝶片(イ)の両コマ(ル)、(ル)間に嵌める作業も容易ではない。すなわち、ワッシャ(ホ)、(ホ)を軸穴(ヌ)に取付けた状態では両コマ(ル)、(ル)間のクリアランスは殆どなく、コマ(リ)を両コマ(ル)、(ル)間に嵌める際に該ワッシャ(ホ)、(ホ)がコマ(リ)から外れ落ちてしまう。
【０００８】
しかし、このように各コマ(リ)、(ル)間の摺動面にワッシャ(ホ)、(ホ)を介在することで摩耗を抑制することは可能である。しかし、摩耗を完全に防止するものではなく、何時かは該ワッシャ(ホ)を使用しない蝶番継手のツルと同じようにガタ付き、掛けたメガネの位置ズレを発生する。
【発明の開示】
【発明が解決しようとする課題】
【０００９】
このように従来の蝶番を介して連結するツル継手構造には上記のごとき問題がある。本発明が解決しようとする課題はこれら問題点であり、何時まで経ってもツルのガタ付きは発生せず、安定してメガネを掛けることが出来るメガネフレームのツル継手構造を提供する。
【課題を解決するための手段】
【００１０】
本発明に係るメガネフレームのツル継手構造は、フロント部に設けているヨロイとピンを介してツルを連結し、該ツルは折畳みすることが出来る。そして、ツルの継手部には収容空間となる穴を設けてコイルバネを収容し、継手部先端にはピン穴を貫通して設けている。このコイルバネを収容したツル継手部に外ケースを嵌めてピン穴を設けている継手部先端を外ケースから突出し、外ケースを嵌めることでコイルバネを圧縮することが出来る。
【００１１】
すなわち、ツル継手部に嵌った外ケースにはコイルバネのバネ力にて先端側へ押出される力が付勢される。そして、外ケースから突出する継手先端をヨロイ側の継手部と組合わせると共に軸ピンを挿入して連結する。外ケースの継手側端面はヨロイの継手部端面と係合することが出来るように滑らかな湾曲面を形成していて、ツルは自由に折畳まれる。そして、上記軸ピンとしては中央を細くした段付き形状とすることで継手部先端のピン穴と係合することが出来、ネジ止めしなくても外れることはない。
【発明の効果】
【００１２】
このように、本発明のツル継手構造はツル継手部に外ケースをスライド可能に嵌めると共に、該外ケースには継手部先端側へ張り出すバネ力が付勢される。従って、軸ピンを介して連結されるヨロイの継手部とツルの継手部先端は、バネ力によって軸ピンとピン穴とのクリアランスはゼロとなり、ツルのガタ付きは発生しない。しかも、軸ピン及びピン穴が摩耗した場合であっても、付勢されるバネ力にてクリアランスが発生することはなく、何時まで経ってもツルのガタ付きは生じない。そして、軸ピンは段付き形状とすることで、ネジ締め作業は不要と成って組立てが容易であり、しかも軸ピンが抜け落ちることはない。
【実施例】
【００１３】
図１はメガネフレームのツル継手構造を示す実施例である。メガネのフロント部１の側端に取着したヨロイ２に、ツル３は軸ピン４を介して折畳み出来るように取付けられている。そして、ツル３にはツル継手部５が設けられ、ヨロイ先端にも継手部６が設けられていて、両継手部５，６は互いに組合されて軸ピン４にて連結されている。
【００１４】
ツル継手部５にはコイルバネ７が取付けられ、該コイルバネ７はツル継手部５に嵌っている外ケース８にて圧縮され、その反力がヨロイ２の継手部６に作用している。従って、ツル３はガタ付くことなく安定した折畳み操作を行うことが出来る。ツル３の形態は特に限定しないが、先端部には樹脂製のモダン９が挿着されている。又、フロント部の形態としてヨロイ部を一体的に形成する場合もあり、同図の実施例のごとく別部品としてヨロイ２を取着する場合に限定しない。
【００１５】
図２はツル継手部５と外ケース８を分離した場合を表している。ツル継手部５は一定厚さの細長い部位で、端面１２から延びて長方形の穴１０が貫通して設けられ、該穴１０にはコイルバネ７を収容している。又、ツル継手部５の先端にはピン穴１１を設けている。そして、このツル継手部５に上記外ケース８が挿入して取付けられる。
【００１６】
外ケース８は継手部収容穴１３が貫通して設けられ、又コイルバネ収容穴１４が端面１５から所定の長さにわたって形成されている。コイルバネ収容穴１４は継手部収容穴１３の中心軸に位置し、コイルバネ７を取付けているツル継手部５は外ケース８に嵌ることが出来る。そして、ツル継手部５の先端は外ケース８から突出することが出来る長さと成っている。継手側端面１６は滑らかな円弧面を形成している。
【００１７】
図３はツル継手部５に外ケース８を取付けて、この状態でフロント部側のヨロイ２と連結する場合である。同図に示すようにツル継手部５の継手部先端１７は外ケース８の継手側端面１６から突出し、この継手部先端１７がヨロイ２の継手部６と組み合って連結される。このように外ケース８をツル継手部５に取付ける場合、コイルバネ７はコイルバネ収容穴１４に収容されるが、継手部先端１７が突出するようにするならば、コイルバネ収容穴１４の底に当たって該コイルバネ７は圧縮される。
【００１８】
その結果、コイルバネ７のバネ力が外ケース８に作用して、該外ケース８を継手部先端側へ押出すバネ力が働く。従って、継手部先端１７がヨロイ継手部６と軸ピンを介して連結される場合、外ケース８はヨロイ継手部６に接すると共に、コイルバネ７のバネ力が付勢される。
【００１９】
図４はツル３をヨロイ２に連結し、軸ピン４を挿入する状態を表している。軸ピン４はその中間部１８が細くなった段差を形成し、この軸ピン４がヨロイ継手部６のピン穴から継手部先端１７に設けているピン穴１１を挿通して互いに連結される。ここで、ヨロイ２の継手部６は所定の間隔をおいて継手片が設けられ、この両継手片の間にツル３の継手部先端１７が嵌入したところで、軸ピン４が挿入される。
【００２０】
ところで、外ケース８にはバネ力が付勢されて、外ケース８の継手側端面１６はヨロイ継手部６に当接する為に、その反力として継手部先端１７は軸ピン４を引っ張ることになる。従って、継手部先端１７のピン穴１１には軸ピン４に常に接した状態に保たれ、ピン穴１１と軸ピン４との間に隙間は発生しない。ツル３の限りない折畳み操作に伴って軸ピン外周及びピン穴は摩耗することになるが、コイルバネ７のバネ力が作用する為に、軸ピン４とピン穴１１との接触は保たれ、しかも所定のバネ力が付勢された状態で保たれることから、ツル３のガタ付きは発生しない。
【００２１】
ここで、ツル３が開く場合には外ケース８の外側端がヨロイのストッパー面に当ってツルの開き度が定まる。折畳まれるときには軸ピン４を中心として旋回することが出来る。
【図面の簡単な説明】
【００２２】
【図１】本発明に係るメガネフレームのツル継手構造。
【図２】ツル継手部と外ケース。
【図３】ヨロイとツル。
【図４】ツル継手構造。
【図５】従来の蝶番。
【図６】ワッシャを取付けた蝶番断面。
【図７】ワッシャの具体例。
【符号の説明】
【００２３】
１  フロント部
２  ヨロイ
３  ツル
４  軸ピン
５  ツル継手部
６  ヨロイ継手部
７  コイルバネ
８  外ケース
９  モダン
10  穴
11  ピン穴
12  端面
13  継手部収容穴
14  コイルバネ収容穴
15  端面
16  継手側端面
17  継手部先端
18  中間部
【図１】
2005345886.tif 000003
【図２】
2005345886.tif 000004
【図３】
2005345886.tif 000005
【図４】
2005345886.tif 000006
【図５】
2005345886.tif 000007
【図６】
2005345886.tif 000008
【図７】
2005345886.tif 000009